(57)【要約】【課題】映像放送に関連するコンテンツを、当該映像放送を受信している映像放送受信機とは異なる通信端末がユーザからの煩雑な操作を必要としないで確実に表示することができる通信端末、方法、プログラム及びシステムを提供すること。【解決手段】通信端末２０は、チャンネル情報とコンテンツ配信サーバ３０のアドレス情報とを対応付けて記憶する配信サーバアドレスＤＢ２１１を備え、選択されたチャンネルに対応するチャンネル情報を映像放送受信機１０に送信すると共に、配信サーバアドレスＤＢ２１１から、選択されたチャンネル情報に対応付けられたコンテンツ配信サーバ３０のアドレス情報を抽出し、抽出したコンテンツ配信サーバ３０のアドレス情報により特定されるコンテンツ配信サーバ３０に、選択されたチャンネルに対応するチャンネル情報と、コンテンツ配信サーバ３０からコンテンツを受信するための情報とを含むコンテンツ要求情報を送信する。【選択図】図２
2012253524.tif 000002
【特許請求の範囲】
【請求項１】
映像放送を表示する映像放送受信機にチャンネルを指定するチャンネル情報を送信すると共に、コンテンツを配信するコンテンツ配信サーバからコンテンツを受信可能な通信端末であって、
前記チャンネル情報と前記コンテンツ配信サーバのアドレス情報とを対応付けて記憶する配信サーバアドレス記憶手段と、
チャンネルを選択するチャンネル選択手段と、
前記チャンネル選択手段によって選択されたチャンネルに対応するチャンネル情報を前記映像放送受信機に送信するチャンネル情報送信手段と、
前記配信サーバアドレス記憶手段から、前記チャンネル選択手段によって選択された前記チャンネル情報に対応付けられた前記コンテンツ配信サーバのアドレス情報を抽出する配信サーバ抽出手段と、
前記配信サーバ抽出手段によって抽出された前記コンテンツ配信サーバのアドレス情報により特定される前記コンテンツ配信サーバに、前記チャンネル選択手段によって選択された前記チャンネル情報と、前記コンテンツ配信サーバからコンテンツを受信するための情報とを含むコンテンツ要求情報を送信するコンテンツ要求情報送信手段と、
前記チャンネル選択手段によって選択された前記チャンネル情報を前記チャンネル情報送信手段により前記映像放送受信機に送信すると共に、前記コンテンツ要求情報を前記コンテンツ要求情報送信手段により前記コンテンツ配信サーバに送信するように制御する制御手段と、
前記コンテンツ要求情報送信手段によって送信された前記コンテンツ要求情報を受信した前記コンテンツ配信サーバからコンテンツを受信するコンテンツ受信手段と、
前記コンテンツ受信手段によって受信されたコンテンツを表示する表示手段と、
を備える通信端末。
【請求項２】
前記コンテンツ要求情報送信手段により送信した前記コンテンツ要求情報を取り消すための要求取消情報を前記コンテンツ配信サーバに送信する要求取消情報送信手段をさらに備え、
前記制御手段は、前記チャンネル選択手段によって選択された前記チャンネル情報が、前記チャンネル情報送信手段により前記映像放送受信機に既に送信したチャンネル情報と異なる場合に、前記要求取消情報を前記要求取消情報送信手段により送信するように制御する、請求項１に記載の通信端末。
【請求項３】
前記映像放送受信機が前記チャンネル情報送信手段によって送信された前記チャンネル情報に基づいて映像放送の受信を開始したことを示す開始通知を、前記映像放送受信機から受信する開始通知受信手段をさらに備え、
前記制御手段は、前記チャンネル情報を前記チャンネル情報送信手段により前記映像放送受信機に送信した後、前記開始通知受信手段により前記開始通知を受信した場合に、前記コンテンツ要求情報を前記コンテンツ要求情報送信手段により送信するように制御する、請求項１又は２に記載の通信端末。
【請求項４】
映像放送を表示する映像放送受信機にチャンネルを指定するチャンネル情報を送信すると共に、コンテンツを配信するコンテンツ配信サーバからコンテンツを受信可能な通信端末が実行する方法であって、
前記通信端末は、
前記チャンネル情報と前記コンテンツ配信サーバのアドレス情報とを対応付けて記憶する配信サーバアドレス記憶手段を備え、
前記方法は、
チャンネルを選択するチャンネル選択ステップと、
前記チャンネル選択ステップによって選択されたチャンネルに対応するチャンネル情報を前記映像放送受信機に送信するチャンネル情報送信ステップと、
前記配信サーバアドレス記憶手段から、前記チャンネル選択ステップによって選択された前記チャンネル情報に対応付けられた前記コンテンツ配信サーバのアドレス情報を抽出する配信サーバ抽出ステップと、
前記配信サーバ抽出ステップによって抽出された前記コンテンツ配信サーバのアドレス情報により特定される前記コンテンツ配信サーバに、前記チャンネル選択ステップによって選択された前記チャンネル情報と、前記コンテンツ配信サーバからコンテンツを受信するための情報とを含むコンテンツ要求情報を送信するコンテンツ要求情報送信ステップと、
前記チャンネル選択ステップによって選択された前記チャンネル情報を前記チャンネル情報送信ステップにより前記映像放送受信機に送信すると共に、前記コンテンツ要求情報を前記コンテンツ要求情報送信ステップにより前記コンテンツ配信サーバに送信するように制御する制御ステップと、
前記コンテンツ要求情報送信ステップによって送信された前記コンテンツ要求情報を受信した前記コンテンツ配信サーバからコンテンツを受信するコンテンツ受信ステップと、
前記コンテンツ受信ステップによって受信されたコンテンツを表示する表示ステップと、
を備える方法。
【請求項５】
前記コンテンツ要求情報送信ステップにより送信した前記コンテンツ要求情報を取り消すための要求取消情報を前記コンテンツ配信サーバに送信する要求取消情報送信ステップをさらに備え、
前記制御ステップは、前記チャンネル選択ステップによって選択された前記チャンネル情報が、前記チャンネル情報送信ステップにより前記映像放送受信機に既に送信したチャンネル情報と異なる場合に、前記要求取消情報を前記要求取消情報送信ステップにより送信するように制御する、請求項４に記載の方法。
【請求項６】
前記映像放送受信機が前記チャンネル情報送信ステップによって送信された前記チャンネル情報に基づいて映像放送の受信を開始したことを示す開始通知を、前記映像放送受信機から受信する開始通知受信ステップをさらに備え、
前記制御ステップは、前記チャンネル情報を前記チャンネル情報送信ステップにより前記映像放送受信機に送信した後、前記開始通知受信ステップにより前記開始通知を受信した場合に、前記コンテンツ要求情報を前記コンテンツ要求情報送信ステップにより送信するように制御する、請求項４又は５に記載の方法。
【請求項７】
映像放送を表示する映像放送受信機にチャンネルを指定するチャンネル情報を送信すると共に、コンテンツを配信するコンテンツ配信サーバからコンテンツを受信可能な通信端末が実行するプログラムであって、
前記通信端末は、
前記チャンネル情報と前記コンテンツ配信サーバのアドレス情報とを対応付けて記憶する配信サーバアドレス記憶手段を備え、
前記プログラムは、
チャンネルを選択するチャンネル選択ステップと、
前記チャンネル選択ステップによって選択されたチャンネルに対応するチャンネル情報を前記映像放送受信機に送信するチャンネル情報送信ステップと、
前記配信サーバアドレス記憶手段から、前記チャンネル選択ステップによって選択された前記チャンネル情報に対応付けられた前記コンテンツ配信サーバのアドレス情報を抽出する配信サーバ抽出ステップと、
前記配信サーバ抽出ステップによって抽出された前記コンテンツ配信サーバのアドレス情報により特定される前記コンテンツ配信サーバに、前記チャンネル選択ステップによって選択された前記チャンネル情報と、前記コンテンツ配信サーバからコンテンツを受信するための情報とを含むコンテンツ要求情報を送信するコンテンツ要求情報送信ステップと、
前記チャンネル選択ステップによって選択された前記チャンネル情報を前記チャンネル情報送信ステップにより前記映像放送受信機に送信すると共に、前記コンテンツ要求情報を前記コンテンツ要求情報送信ステップにより前記コンテンツ配信サーバに送信するように制御する制御ステップと、
前記コンテンツ要求情報送信ステップによって送信された前記コンテンツ要求情報を受信した前記コンテンツ配信サーバからコンテンツを受信するコンテンツ受信ステップと、
前記コンテンツ受信ステップによって受信されたコンテンツを表示する表示ステップと、
を備えるプログラム。
【請求項８】
映像放送を表示する映像放送受信機と、コンテンツを配信するコンテンツ配信サーバと、前記映像放送受信機にチャンネルを指定するチャンネル情報を送信すると共に、前記コンテンツ配信サーバからコンテンツを受信可能な通信端末とを備えるシステムであって、
前記通信端末は、
前記チャンネル情報と前記コンテンツ配信サーバのアドレス情報とを対応付けて記憶する配信サーバアドレス記憶手段と、
チャンネルを選択するチャンネル選択手段と、
前記チャンネル選択手段によって選択されたチャンネルに対応するチャンネル情報を前記映像放送受信機に送信するチャンネル情報送信手段と、
前記配信サーバアドレス記憶手段から、前記チャンネル選択手段によって選択された前記チャンネル情報に対応付けられた前記コンテンツ配信サーバのアドレス情報を抽出する配信サーバ抽出手段と、
前記配信サーバ抽出手段によって抽出された前記コンテンツ配信サーバのアドレス情報により特定される前記コンテンツ配信サーバに、前記チャンネル選択手段によって選択された前記チャンネル情報と、前記コンテンツ配信サーバからコンテンツを受信するための情報とを含むコンテンツ要求情報を送信するコンテンツ要求情報送信手段と、
前記チャンネル選択手段によって選択された前記チャンネル情報を前記チャンネル情報送信手段により前記映像放送受信機に送信すると共に、前記コンテンツ要求情報を前記コンテンツ要求情報送信手段により前記コンテンツ配信サーバに送信するように制御する制御手段と、
前記コンテンツ要求情報送信手段によって送信された前記コンテンツ要求情報を受信した前記コンテンツ配信サーバからコンテンツを受信するコンテンツ受信手段と、
前記コンテンツ受信手段によって受信されたコンテンツを表示する表示手段と、を備え、
前記映像放送受信機は、
前記チャンネル情報送信手段によって送信された前記チャンネル情報に基づいて、映像放送を受信して、表示し、
前記コンテンツ配信サーバは、
前記コンテンツ要求情報送信手段によって送信された前記コンテンツ要求情報に基づいて、コンテンツを配信するタイミングに、コンテンツを送信する、
システム。
【発明の詳細な説明】
【技術分野】
【０００１】
本発明は、映像放送に関連するコンテンツを、映像放送受信機とは異なる端末で表示するための技術に関する。
【背景技術】
【０００２】
従来、地上波デジタル放送におけるデータ放送など、映像放送を視聴するテレビなどの受信機そのものでＷｅｂコンテンツを表示させる技術が知られている。これにより、ユーザは映像放送に加えてＷｅｂコンテンツなどを１台の端末画面上で視聴することが可能である。
【０００３】
例えば、特許文献１に開示された発明は、映像放送と関連コンテンツとを簡単に連携させるために、サーバが第１のコンテンツ群と第２のコンテンツ群と連携制御情報とをそれぞれ異なる伝送データとして放送する。受信した受信装置は、第１のコンテンツ群から手動又は自動で第１の選択コンテンツとしてコンテンツを選択し、連携制御情報に基づいて第１の選択コンテンツに関連するコンテンツを第２のコンテンツ群から第２の選択コンテンツとして選択し、表示部に表示する。
【先行技術文献】
【特許文献】
【０００４】
【特許文献１】特開２０１１−２９９７２号公報
【発明の概要】
【発明が解決しようとする課題】
【０００５】
特許文献１に開示された発明は、映像放送の受信機に、映像放送と関連コンテンツとを表示することを可能とするが、スマートフォンやタブレットなど、高機能なモバイル端末の出現にともない、これらの端末を映像放送視聴時の通信端末として利用し、地上波やケーブルテレビをはじめとする映像放送を映像放送受信機に表示させ、これに合わせて、関連コンテンツを当該通信端末上に表示させるという要望が出始めている。
【０００６】
しかしながら、２台の端末で映像放送とコンテンツとを別々に受信する場合、コンテンツ配信元となるサーバが、テレビなどの映像放送受信機に表示されているチャンネルなどの映像情報を正確に把握する必要がある。当該映像状態を正確に把握できていないと、視聴している映像放送とは別の映像放送に関連するコンテンツが通信端末に表示されたり、あるいは、当該第２端末に何も表示されなかったりといったことが発生する。
他方、チャンネルなどの映像情報を正確にサーバに伝えるために、映像放送受信機及び通信端末をそれぞれ独立に手動で操作し、映像放送受信機で視聴中の映像放送に関するコンテンツを通信端末で受信するようにすると、ユーザの操作が煩雑になることが予想される。
【０００７】
そこで、映像放送に関連するコンテンツを、当該映像放送を受信している映像放送受信機とは異なる通信端末がユーザからの煩雑な操作を必要としないで確実に表示することが、望まれている。
【０００８】
本発明は、映像放送に関連するコンテンツを、当該映像放送を受信している映像放送受信機とは異なる通信端末がユーザからの煩雑な操作を必要としないで確実に表示することができる通信端末、方法、プログラム及びシステムを提供することを目的とする。
【課題を解決するための手段】
【０００９】
具体的には、以下のような解決手段を提供する。
【００１０】
（１）  映像放送を表示する映像放送受信機にチャンネルを指定するチャンネル情報を送信すると共に、コンテンツを配信するコンテンツ配信サーバからコンテンツを受信可能な通信端末であって、前記チャンネル情報と前記コンテンツ配信サーバのアドレス情報とを対応付けて記憶する配信サーバアドレス記憶手段と、チャンネルを選択するチャンネル選択手段と、前記チャンネル選択手段によって選択されたチャンネルに対応するチャンネル情報を前記映像放送受信機に送信するチャンネル情報送信手段と、前記配信サーバアドレス記憶手段から、前記チャンネル選択手段によって選択された前記チャンネル情報に対応付けられた前記コンテンツ配信サーバのアドレス情報を抽出する配信サーバ抽出手段と、前記配信サーバ抽出手段によって抽出された前記コンテンツ配信サーバのアドレス情報により特定される前記コンテンツ配信サーバに、前記チャンネル選択手段によって選択された前記チャンネル情報と、前記コンテンツ配信サーバからコンテンツを受信するための情報とを含むコンテンツ要求情報を送信するコンテンツ要求情報送信手段と、前記チャンネル選択手段によって選択された前記チャンネル情報を前記チャンネル情報送信手段により前記映像放送受信機に送信すると共に、前記コンテンツ要求情報を前記コンテンツ要求情報送信手段により前記コンテンツ配信サーバに送信するように制御する制御手段と、前記コンテンツ要求情報送信手段によって送信された前記コンテンツ要求情報を受信した前記コンテンツ配信サーバからコンテンツを受信するコンテンツ受信手段と、前記コンテンツ受信手段によって受信されたコンテンツを表示する表示手段と、を備える通信端末。
【００１１】
（１）の構成によれば、本発明に係る通信端末は、チャンネル情報とコンテンツ配信サーバのアドレス情報とを対応付けて記憶する配信サーバアドレス記憶手段を備え、選択されたチャンネルに対応するチャンネル情報を映像放送受信機に送信すると共に、配信サーバアドレス記憶手段から、選択されたチャンネル情報に対応付けられたコンテンツ配信サーバのアドレス情報を抽出し、抽出したコンテンツ配信サーバのアドレス情報により特定されるコンテンツ配信サーバに、選択されたチャンネルに対応するチャンネル情報と、コンテンツ配信サーバからコンテンツを受信するための情報とを含むコンテンツ要求情報を送信する。そして、本発明に係る通信端末は、送信したコンテンツ要求情報を受信したコンテンツ配信サーバからコンテンツを受信し、受信したコンテンツを表示する。
【００１２】
すなわち、本発明に係る通信端末は、選択されたチャンネル情報を映像放送受信機に送信すると共に、配信サーバアドレス記憶手段に基づいて、選択されたチャンネル情報に対応付けられたコンテンツ配信サーバに、コンテンツ要求情報を送信し、コンテンツ配信サーバから受信したコンテンツを表示する。
したがって、本発明に係る通信端末は、映像放送を受信している映像放送受信機とは異なる装置であり、映像放送受信機が受信している映像放送に関連するコンテンツを、ユーザからの煩雑な操作を必要としないで確実に表示することができる。
【００１３】
（２）  前記コンテンツ要求情報送信手段により送信した前記コンテンツ要求情報を取り消すための要求取消情報を前記コンテンツ配信サーバに送信する要求取消情報送信手段をさらに備え、前記制御手段は、前記チャンネル選択手段によって選択された前記チャンネル情報が、前記チャンネル情報送信手段により前記映像放送受信機に既に送信したチャンネル情報と異なる場合に、前記要求取消情報を前記要求取消情報送信手段により送信するように制御する、（１）に記載の通信端末。
【００１４】
（２）の構成によれば、（１）に記載の通信端末は、新たなチャンネル情報を映像放送受信機に送信した場合に、新たなチャンネル情報を送信するまでのチャンネル情報に関連するコンテンツ要求を取り消す。
したがって、（２）に係る通信端末は、映像放送受信機が受信している映像放送に関連するコンテンツを、ユーザからの煩雑な操作を必要としないでさらに確実に表示することができる。
【００１５】
（３）  前記映像放送受信機が前記チャンネル情報送信手段によって送信された前記チャンネル情報に基づいて映像放送の受信を開始したことを示す開始通知を、前記映像放送受信機から受信する開始通知受信手段をさらに備え、前記制御手段は、前記チャンネル情報を前記チャンネル情報送信手段により前記映像放送受信機に送信した後、前記開始通知受信手段により前記開始通知を受信した場合に、前記コンテンツ要求情報を前記コンテンツ要求情報送信手段により送信するように制御する、（１）又は（２）に記載の通信端末。
【００１６】
（３）の構成によれば、（１）又は（２）に係る通信端末は、映像放送受信機から映像放送の開始通知を受信した場合に、コンテンツ要求情報を送信する。
したがって、（３）に係る通信端末は、映像放送受信機が受信している映像放送に関連するコンテンツを、ユーザからの煩雑な操作を必要としないでさらに確実に表示することができる。
【００１７】
（４）  映像放送を表示する映像放送受信機にチャンネルを指定するチャンネル情報を送信すると共に、コンテンツを配信するコンテンツ配信サーバからコンテンツを受信可能な通信端末が実行する方法であって、前記通信端末は、前記チャンネル情報と前記コンテンツ配信サーバのアドレス情報とを対応付けて記憶する配信サーバアドレス記憶手段を備え、前記方法は、チャンネルを選択するチャンネル選択ステップと、前記チャンネル選択ステップによって選択されたチャンネルに対応するチャンネル情報を前記映像放送受信機に送信するチャンネル情報送信ステップと、前記配信サーバアドレス記憶手段から、前記チャンネル選択ステップによって選択された前記チャンネル情報に対応付けられた前記コンテンツ配信サーバのアドレス情報を抽出する配信サーバ抽出ステップと、前記配信サーバ抽出ステップによって抽出された前記コンテンツ配信サーバのアドレス情報により特定される前記コンテンツ配信サーバに、前記チャンネル選択ステップによって選択された前記チャンネル情報と、前記コンテンツ配信サーバからコンテンツを受信するための情報とを含むコンテンツ要求情報を送信するコンテンツ要求情報送信ステップと、前記チャンネル選択ステップによって選択された前記チャンネル情報を前記チャンネル情報送信ステップにより前記映像放送受信機に送信すると共に、前記コンテンツ要求情報を前記コンテンツ要求情報送信ステップにより前記コンテンツ配信サーバに送信するように制御する制御ステップと、前記コンテンツ要求情報送信ステップによって送信された前記コンテンツ要求情報を受信した前記コンテンツ配信サーバからコンテンツを受信するコンテンツ受信ステップと、前記コンテンツ受信ステップによって受信されたコンテンツを表示する表示ステップと、を備える方法。
【００１８】
したがって、（４）に係る方法は、（１）と同様に、映像放送を受信している映像放送受信機とは異なる装置に、映像放送受信機が受信している映像放送に関連するコンテンツを、ユーザからの煩雑な操作を必要としないで確実に表示させることができる。
【００１９】
（５）  前記コンテンツ要求情報送信ステップにより送信した前記コンテンツ要求情報を取り消すための要求取消情報を前記コンテンツ配信サーバに送信する要求取消情報送信ステップをさらに備え、前記制御ステップは、前記チャンネル選択ステップによって選択された前記チャンネル情報が、前記チャンネル情報送信ステップにより前記映像放送受信機に既に送信したチャンネル情報と異なる場合に、前記要求取消情報を前記要求取消情報送信ステップにより送信するように制御する、（４）に記載の方法。
【００２０】
したがって、（５）に係る方法は、（２）と同様に、映像放送を受信している映像放送受信機とは異なる装置に、映像放送受信機が受信している映像放送に関連するコンテンツを、ユーザからの煩雑な操作を必要としないでさらに確実に表示させることができる。
【００２１】
（６）  前記映像放送受信機が前記チャンネル情報送信ステップによって送信された前記チャンネル情報に基づいて映像放送の受信を開始したことを示す開始通知を、前記映像放送受信機から受信する開始通知受信ステップをさらに備え、前記制御ステップは、前記チャンネル情報を前記チャンネル情報送信ステップにより前記映像放送受信機に送信した後、前記開始通知受信ステップにより前記開始通知を受信した場合に、前記コンテンツ要求情報を前記コンテンツ要求情報送信ステップにより送信するように制御する、（４）又は（５）に記載の方法。
【００２２】
したがって、（６）に係る方法によって、（３）と同様に、映像放送を受信している映像放送受信機とは異なる装置に、映像放送受信機が受信している映像放送に関連するコンテンツを、ユーザからの煩雑な操作を必要としないでさらに確実に表示させることができる。
【００２３】
（７）  映像放送を表示する映像放送受信機にチャンネルを指定するチャンネル情報を送信すると共に、コンテンツを配信するコンテンツ配信サーバからコンテンツを受信可能な通信端末が実行するプログラムであって、前記通信端末は、前記チャンネル情報と前記コンテンツ配信サーバのアドレス情報とを対応付けて記憶する配信サーバアドレス記憶手段を備え、前記プログラムは、チャンネルを選択するチャンネル選択ステップと、前記チャンネル選択ステップによって選択されたチャンネルに対応するチャンネル情報を前記映像放送受信機に送信するチャンネル情報送信ステップと、前記配信サーバアドレス記憶手段から、前記チャンネル選択ステップによって選択された前記チャンネル情報に対応付けられた前記コンテンツ配信サーバのアドレス情報を抽出する配信サーバ抽出ステップと、前記配信サーバ抽出ステップによって抽出された前記コンテンツ配信サーバのアドレス情報により特定される前記コンテンツ配信サーバに、前記チャンネル選択ステップによって選択された前記チャンネル情報と、前記コンテンツ配信サーバからコンテンツを受信するための情報とを含むコンテンツ要求情報を送信するコンテンツ要求情報送信ステップと、前記チャンネル選択ステップによって選択された前記チャンネル情報を前記チャンネル情報送信ステップにより前記映像放送受信機に送信すると共に、前記コンテンツ要求情報を前記コンテンツ要求情報送信ステップにより前記コンテンツ配信サーバに送信するように制御する制御ステップと、前記コンテンツ要求情報送信ステップによって送信された前記コンテンツ要求情報を受信した前記コンテンツ配信サーバからコンテンツを受信するコンテンツ受信ステップと、前記コンテンツ受信ステップによって受信されたコンテンツを表示する表示ステップと、を備えるプログラム。
【００２４】
したがって、（７）に係るプログラムは、（１）と同様に、映像放送を受信している映像放送受信機とは異なる装置に、映像放送受信機が受信している映像放送に関連するコンテンツを、ユーザからの煩雑な操作を必要としないで確実に表示させることができる。
【００２５】
（８）  映像放送を表示する映像放送受信機と、コンテンツを配信するコンテンツ配信サーバと、前記映像放送受信機にチャンネルを指定するチャンネル情報を送信すると共に、前記コンテンツ配信サーバからコンテンツを受信可能な通信端末とを備えるシステムであって、前記通信端末は、前記チャンネル情報と前記コンテンツ配信サーバのアドレス情報とを対応付けて記憶する配信サーバアドレス記憶手段と、チャンネルを選択するチャンネル選択手段と、前記チャンネル選択手段によって選択されたチャンネルに対応するチャンネル情報を前記映像放送受信機に送信するチャンネル情報送信手段と、前記配信サーバアドレス記憶手段から、前記チャンネル選択手段によって選択された前記チャンネル情報に対応付けられた前記コンテンツ配信サーバのアドレス情報を抽出する配信サーバ抽出手段と、前記配信サーバ抽出手段によって抽出された前記コンテンツ配信サーバのアドレス情報により特定される前記コンテンツ配信サーバに、前記チャンネル選択手段によって選択された前記チャンネル情報と、前記コンテンツ配信サーバからコンテンツを受信するための情報とを含むコンテンツ要求情報を送信するコンテンツ要求情報送信手段と、前記チャンネル選択手段によって選択された前記チャンネル情報を前記チャンネル情報送信手段により前記映像放送受信機に送信すると共に、前記コンテンツ要求情報を前記コンテンツ要求情報送信手段により前記コンテンツ配信サーバに送信するように制御する制御手段と、前記コンテンツ要求情報送信手段によって送信された前記コンテンツ要求情報を受信した前記コンテンツ配信サーバからコンテンツを受信するコンテンツ受信手段と、前記コンテンツ受信手段によって受信されたコンテンツを表示する表示手段と、を備え、
前記映像放送受信機は、前記チャンネル情報送信手段によって送信された前記チャンネル情報に基づいて、映像放送を受信して、表示し、
前記コンテンツ配信サーバは、前記コンテンツ要求情報送信手段によって送信された前記コンテンツ要求情報に基づいて、コンテンツを配信するタイミングに、コンテンツを送信する、システム。
【００２６】
したがって、（８）に係るシステムは、（１）と同様に、映像放送を受信している映像放送受信機とは異なる装置に、映像放送受信機が受信している映像放送に関連するコンテンツを、ユーザからの煩雑な操作を必要としないで確実に表示させることができる。
【発明の効果】
【００２７】
本発明によれば、映像放送に関連するコンテンツを、当該映像放送を受信している映像放送受信機とは異なる端末で、ユーザからの煩雑な操作を必要としないで確実に表示することができる。
【図面の簡単な説明】
【００２８】
【図１】本発明の一実施形態におけるコンテンツ表示システムの概要を示すシステム構成図である。
【図２】本発明の一実施形態に係る通信端末の機能構成を示す機能ブロック図である。
【図３】本発明の一実施形態に係る通信端末のチャンネルテーブルの例を示す図である。
【図４】本発明の一実施形態に係る通信端末の配信サーバアドレスＤＢの例を示す図である。
【図５】本発明における映像放送に連動したコンテンツ配信のシーケンス図である。
【図６】本発明の一実施形態に係る映像放送受信機の例を示す機能ブロック図である。
【図７】本発明の一実施形態に係るコンテンツ配信サーバの例を示す機能ブロック図である。
【発明を実施するための形態】
【００２９】
以下、本発明の実施形態について図を参照しながら説明する。
【００３０】
図１は、本発明の一実施形態におけるコンテンツ表示システム１の概要を示すシステム構成図である。コンテンツ配信サーバ３０ａ、３０ｂ・・・（以下、区別をしない場合、コンテンツ配信サーバ３０という）と、ユーザの通信端末２０とが、インターネットに接続されている。映像放送受信機１０は、赤外線や無線、ネットワークを介して通信端末２０からチャンネルなどの映像放送情報を受信し、放送局（図示せず）から受信している映像放送のうち、通信端末２０から受信したチャンネルの映像放送を表示する。通信端末２０は、映像放送受信機１０にチャンネルを指定するチャンネル情報を送信すると共に、コンテンツを配信するコンテンツ配信サーバ３０に、コンテンツ要求情報を送信する。コンテンツ配信サーバ３０は、通信端末２０から、映像放送受信機１０で表示中の映像放送に関連するコンテンツを要求するコンテンツ要求情報を受信し、受信したコンテンツ要求情報に基づいて、通信端末２０に対してコンテンツを配信する。
【００３１】
図２は、本発明の一実施形態に係る通信端末２０の機能構成を示す機能ブロック図である。図３は、本発明の一実施形態に係る通信端末２０のチャンネルテーブルの例を示す図である。図４は、本発明の一実施形態に係る通信端末２０の配信サーバアドレスＤＢ２１１の例を示す図である。通信端末２０は、配信サーバアドレス記憶手段としての配信サーバアドレスＤＢ２１１と、チャンネル選択手段としてのチャンネル選択部２０１と、チャンネル情報送信手段としてのチャンネル情報送信部２０２と、配信サーバ抽出手段としての配信サーバ抽出部２０３と、コンテンツ要求情報送信手段としてのコンテンツ要求情報送信部２０４と、制御手段としての制御部２０５と、コンテンツ受信手段としてのコンテンツ受信部２０６と、表示手段としての表示部２０７とを備える。以下、各部について詳述する。
【００３２】
図４に示すように、配信サーバアドレスＤＢ２１１は、チャンネル情報とコンテンツ配信サーバ３０のアドレス情報とを対応付けて記憶する。チャンネル情報は、映像放送を表示する映像放送受信機にチャンネルを指定するための情報である。コンテンツ配信サーバ３０のアドレス情報は、例えば、コンテンツ配信サーバ３０のＵＲＬ（Ｕｎｉｆｏｒｍ  Ｒｅｓｏｕｒｃｅ  Ｌｏｃａｔｏｒ）などである。
【００３３】
チャンネル選択部２０１は、チャンネルを選択する。具体的には、チャンネル選択部２０１は、ユーザからのチャンネルの選択操作を受け付け、受け付けた選択操作によりチャンネルを選択する。具体的には、チャンネル選択部２０１は、ユーザからチャンネルの選択操作要求を受け付け、受け付けた要求により、チャンネルを選択するための選択画面（例えば、チャンネルの番号を選択する画面）を表示し、表示した選択画面の中から選択されたチャンネル（例えば、チャンネルの番号Ａ）を保存する。
【００３４】
チャンネル情報送信部２０２は、チャンネル選択部２０１により選択されたチャンネルに対応するチャンネル情報を映像放送受信機１０に送信する。具体的には、チャンネル情報送信部２０２は、選択されたチャンネル（例えば、番号Ａ）に対応するチャンネル情報（例えば、選択された番号とチャンネル情報とを対応付けたチャンネル対応テーブル（例えば、図３）に基づいて、チャンネルＡ）を映像放送受信機１０に送信する。
【００３５】
配信サーバ抽出部２０３は、配信サーバアドレスＤＢ２１１から、チャンネル選択部２０１により選択されたチャンネル情報に対応付けられたコンテンツ配信サーバ３０のアドレス情報を抽出する。具体的には、配信サーバ抽出部２０３は、チャンネル情報（例えば、チャンネルＡ）により配信サーバアドレスＤＢ２１１を検索し、検索したチャンネル情報（例えば、チャンネルＡ）に対応付けられたコンテンツ配信サーバ３０のアドレス情報（例えば、ａａａ．ｃｏ．ｊｐ）を抽出する。
【００３６】
コンテンツ要求情報送信部２０４は、配信サーバ抽出部２０３によって抽出されたコンテンツ配信サーバ３０のアドレス情報により特定されるコンテンツ配信サーバ３０に、チャンネル選択部２０１により選択されたチャンネルに対応するチャンネル情報と、コンテンツ配信サーバ３０からコンテンツを受信するための情報とを含む、コンテンツ要求情報を送信する。
コンテンツを受信するための情報は、例えば、コンテンツを受信するために通信端末２０を識別するための情報（例えば、通信端末２０のアドレス情報や、ユーザ識別ＩＤなど）と、コンテンツを表示するための通信端末２０の仕様情報（例えば、ディスプレイのサイズなど）を含む。
具体的には、コンテンツ要求情報送信部２０４は、コンテンツ配信サーバ３０（例えば、ａａａ．ｃｏ．ｊｐ）に、チャンネル情報（例えば、チャンネルＡ）と、コンテンツを受信するための情報（例えば、ユーザ識別ＩＤと、ディスプレイのサイズ）とを含む、コンテンツ要求情報を送信する。
【００３７】
制御部２０５は、チャンネル選択部２０１によって選択されたチャンネル情報をチャンネル情報送信手段により映像放送受信機１０に送信すると共に、コンテンツ要求情報をコンテンツ要求情報送信部２０４によりコンテンツ配信サーバ３０に送信するように制御する。具体的には、制御部２０５は、チャンネル情報（例えば、チャンネルＡ）を映像放送受信機１０に送信すると共に、コンテンツ要求情報（例えば、ユーザ識別ＩＤと、ディスプレイのサイズ）をコンテンツ配信サーバ３０に送信するように制御する。
【００３８】
コンテンツ受信部２０６は、コンテンツ要求情報送信部２０４によって送信されたコンテンツ要求情報を受信したコンテンツ配信サーバ３０からコンテンツを受信する。具体的には、コンテンツ配信サーバ３０は、受信したコンテンツ要求情報に基づいて、例えば、ユーザ登録情報に基づいて、ユーザ識別ＩＤに対応付けられた通信端末２０のアドレス情報を抽出し、抽出したアドレス情報の通信端末２０に、ディスプレイのサイズに基づいてディスプレイに表示されるように適合させたコンテンツを送信する。
【００３９】
表示部２０７は、コンテンツ受信部２０６によって受信されたコンテンツを表示する。具体的には、表示部２０７は、受信されたコンテンツをディスプレイに表示する。
【００４０】
さらに、要求取消情報送信手段としての要求取消情報送信部２０４１と、開始通知受信手段としての開始通知受信部２０２１とを備える。
【００４１】
要求取消情報送信部２０４１は、コンテンツ要求情報送信部２０４により送信したコンテンツ要求情報を取り消すための要求取消情報をコンテンツ配信サーバ３０に送信する。そして、制御部２０５は、チャンネル選択部２０１によって選択されたチャンネル情報が、チャンネル情報送信部２０２により映像放送受信機１０に既に送信したチャンネル情報と異なる場合に、要求取消情報を要求取消情報送信部２０４１により送信するように制御する。すなわち、制御部２０５は、ユーザによって新たなチャンネルが選択された場合に、それまでのチャンネル情報に関連するコンテンツの要求を取り消すために、要求取消情報（例えば、取り消し要求と、それまでのチャンネル情報とを含む情報）をコンテンツ配信サーバ３０に送信するように制御する。コンテンツ配信サーバ３０は、例えば、チャンネルＡに対応するユーザのログイン情報を削除する。
【００４２】
開始通知受信部２０２１は、映像放送受信機１０がチャンネル情報送信部２０２によって送信されたチャンネル情報に基づいて映像放送の受信を開始したことを示す開始通知を、映像放送受信機１０から受信する。そして、制御部２０５は、チャンネル情報をチャンネル情報送信部２０２により映像放送受信機１０に送信した後、開始通知受信部２０２１により開始通知を受信した場合に、コンテンツ要求情報をコンテンツ要求情報送信部２０４により送信するように制御する。
【００４３】
図５は、本発明における映像放送に連動したコンテンツ配信のシーケンス図である。
【００４４】
ステップＳ１において、通信端末２０は、視聴者からの選択操作により、映像放送受信機１０のチャンネル情報を選択する。ここでは、チャンネルＡへの切替えが行われたものとする。
【００４５】
次に、ステップＳ２において、通信端末２０は、チャンネル情報Ａに対応付けられたコンテンツ配信サーバ３０ａを抽出する。
【００４６】
次に、ステップＳ３において、通信端末２０は、チャンネル情報Ａを映像放送受信機１０に送信すると共に、コンテンツ要求情報をコンテンツ配信サーバ３０ａに送信する。映像放送受信機１０は、チャンネル情報Ａの映像放送を受信して表示する。コンテンツ配信サーバ３０ａは、コンテンツ要求情報を送信した通信端末２０を登録する。
【００４７】
ステップＳ３１において、コンテンツ配信サーバ３０ａは、チャンネル情報Ａの映像放送に関連するコンテンツを送信するタイミングになると、通信端末２０にコンテンツを送信する。
【００４８】
次に、ステップＳ４において、通信端末２０は、チャンネル情報Ａの映像放送に関連するコンテンツを受信し、表示する。
【００４９】
さらに、ステップＳ３２において、コンテンツ配信サーバ３０ａは、チャンネル情報Ａの映像放送に関連するコンテンツを送信するタイミングになると、通信端末２０にコンテンツを送信する。
【００５０】
次に、ステップＳ５において、通信端末２０は、コンテンツを受信し、表示する。
【００５１】
ここで、視聴者からの選択操作によって新たなチャンネル情報が選択されたとする。
【００５２】
ステップＳ１１において、通信端末２０は、視聴者からの選択操作により、映像放送受信機１０の新たなチャンネル情報を選択する。ここでは、チャンネルＢへの切替えが行われたものとする。
【００５３】
次に、ステップＳ１２において、通信端末２０は、チャンネル情報Ｂに対応付けられたコンテンツ配信サーバ３０ｂを抽出する。
【００５４】
次に、ステップＳ１３において、通信端末２０は、チャンネル情報Ｂを映像放送受信機１０に送信すると共に、コンテンツ要求情報をコンテンツ配信サーバ３０ｂに送信し、チャンネル情報Ａについての関連するコンテンツを要求していたコンテンツ配信サーバ３０ａに要求取消情報を送信する。
映像放送受信機１０は、チャンネル情報Ｂの映像放送を受信して表示する。コンテンツ配信サーバ３０ａは、要求取消情報を送信した通信端末２０の登録を削除する。コンテンツ配信サーバ３０ｂは、コンテンツ要求情報を送信した通信端末２０を登録する。
【００５５】
ステップＳ３３において、コンテンツ配信サーバ３０ｂは、チャンネル情報Ｂの映像放送に関連するコンテンツを送信するタイミングになると、通信端末２０にコンテンツを送信する。
【００５６】
次に、ステップＳ１４において、通信端末２０は、チャンネル情報Ｂの映像放送に関連するコンテンツを受信し、表示する。
【００５７】
以降、同様な処理が行われ、通信端末２０は、映像放送受信機１０が受信している映像放送に関連するコンテンツを、ユーザからの煩雑な操作を必要としないで確実に表示することができる。
【００５８】
図６は、本発明の一実施形態に係る映像放送受信機１０の例を示す機能ブロック図である。例えば、映像放送受信機１０は、映像放送を受信する映像放送受信部１０１と、映像放送を表示する画面表示部１０２と、通信端末２０からのチャンネル情報を受信するチャンネル情報受信部１０３と、画面表示部１０２に表示する映像放送情報を制御する表示制御部１０４と、を備える。
【００５９】
チャンネル情報受信部１０３は、画面表示部１０２に表示する映像放送のチャンネルを制御するための信号を、赤外線などの無線通信又はＬＡＮなどの有線通信を介して受信する。映像放送受信部１０１は、外部／内部アンテナやネットワークなどの手段を利用して映像放送を受信すると共に、表示制御部１０４からの制御に応じて、受信した映像放送を画面表示部１０２に表示する。表示制御部１０４は、映像放送受信部１０１により受信した映像放送を画面表示部１０２に表示するように制御する。また、表示制御部１０４は、チャンネル情報受信部１０３から、映像放送変更の指示を受け、画面表示部１０２に現在表示されている映像放送と異なるチャンネル情報であれば、表示制御部１０４に対して表示する映像放送表示の変更を指示する。
【００６０】
図７は、本発明の一実施形態に係るコンテンツ配信サーバ３０の例を示す機能ブロック図である。例えば、コンテンツ配信サーバ３０は、通信端末２０からコンテンツ要求情報を受信するコンテンツ情報受信部３０１と、コンテンツ要求情報を管理する登録管理部３０２と、コンテンツ配信を制御する配信制御部３０３と、通信端末２０に対してコンテンツを配信するコンテンツ配信部３０４と、コンテンツ要求情報を記憶する視聴者ＤＢ３１１と、配信するコンテンツを記憶するコンテンツＤＢ３１２と、を備える。
登録管理部３０２は、コンテンツ情報受信部３０１により受信したコンテンツ要求情報（例えば、チャンネル情報や、通信端末２０のアドレス情報などを含む）に基づいて登録処理（例えば、ログイン処理）を行い、処理が完了した通信端末２０について、視聴者ＤＢ３１１に記憶する。また、登録管理部３０２は、コンテンツ情報受信部３０１により受信した要求取消情報（例えば、チャンネル情報、通信端末２０のアドレス情報などを含む）に基づいて通信端末２０からの登録解除処理を完了すると、視聴者ＤＢ３１１から当該情報を削除する。
配信制御部３０３は、コンテンツを配信するタイミング（例えば、コンテンツを配信するタイミングを定めたシナリオに基づいて、映像放送の開始からの時間情報や、映像放送に埋め込まれたマーカ情報によるタイミング）になると、視聴者ＤＢ３１１を確認して当該コンテンツを配信すべき通信端末２０の存在を確認する。視聴者ＤＢ３１１に、コンテンツを配信すべき通信端末２０が存在する場合、配信制御部３０３は、コンテンツＤＢ３１２に記憶された配信コンテンツをコンテンツ配信部３０４により通信端末２０に送信する。
【００６１】
本実施形態の通信端末２０は、コンピュータ及びその周辺装置によって実現され、本実施形態における各部は、コンピュータ及びその周辺装置が備えるハードウェア並びに該ハードウェアを制御するソフトウェアによって構成される。
【００６２】
本実施形態によれば、通信端末２０は、チャンネル情報とコンテンツ配信サーバ３０のアドレス情報とを対応付けて記憶する配信サーバアドレスＤＢ２１１を備え、選択されたチャンネルに対応するチャンネル情報を映像放送受信機１０に送信すると共に、配信サーバアドレスＤＢ２１１から、選択されたチャンネル情報に対応付けられたコンテンツ配信サーバ３０のアドレス情報を抽出し、抽出したコンテンツ配信サーバ３０のアドレス情報により特定されるコンテンツ配信サーバ３０に、選択されたチャンネルに対応するチャンネル情報と、コンテンツ配信サーバ３０からコンテンツを受信するための情報とを含むコンテンツ要求情報を送信する。そして、通信端末２０は、送信したコンテンツ要求情報を受信したコンテンツ配信サーバ３０からコンテンツを受信し、受信したコンテンツを表示する。さらに、通信端末２０は、新たなチャンネル情報を映像放送受信機１０に送信した場合に、新たなチャンネル情報を送信するまでのチャンネル情報に関連するコンテンツ要求を取り消す。さらに、通信端末２０は、映像放送受信機１０から映像放送の開始通知を受信した場合に、コンテンツ要求情報を送信する。
したがって、通信端末２０は、映像放送を受信している映像放送受信機１０とは異なる装置であり、映像放送受信機１０が受信している映像放送に関連するコンテンツを、ユーザからの煩雑な操作を必要としないで確実に表示することができる。
【００６３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６４】
１        システム
１０      映像放送受信機
２０      通信端末
２０１    チャンネル選択部
２０２    チャンネル情報送信部
２０２１  開始通知受信部
２０３    配信サーバ抽出部
２０４    コンテンツ要求情報送信部
２０４１  要求取消情報送信部
２０５    制御部
２０６    コンテンツ受信部
２０７    表示部
２１１    配信サーバアドレスＤＢ
３０      コンテンツ配信サーバ
【図１】
2012253524.tif 000003
【図２】
2012253524.tif 000004
【図３】
2012253524.tif 000005
【図４】
2012253524.tif 000006
【図５】
2012253524.tif 000007
【図６】
2012253524.tif 000008
【図７】
2012253524.tif 000009